(57)【要約】【課題】道路や屋外作業場での荷扱い作業の際に、簡単に操作できて、有害物の漏洩拡散を迅速かつ確実に遮断し汚染の拡大を防ぐことができるだけでなく、場所を占有しない低コストな排水の遮断堰を提供する。【解決手段】排水枡内の排出口手前にスライドガイド（弁箱）を設置し、該スライドガイドの内側に堰板（弁体）を収容するとともに、該堰板が排水枡の蓋の一部をなす開閉蓋と永久磁石を介して連結するゲート弁型の排水遮断堰であって、堰板が磁力で開閉蓋に連結しているときは、堰板がスライドガイドの上部に位置し、排水枡の排出口を開放しているが、開閉蓋の少なくとも一部を持ち上げて、開閉蓋と堰板間に磁力を超える大きさに相当する外力を加えると、堰板が開閉蓋から分離しスライドガイドの内側を自重によって垂直に降下し、排出口を塞ぐように構成されていることを特徴とする排水遮断堰によって提供する。【選択図】図１
2009179941.tif 000002
【特許請求の範囲】
【請求項１】
排水枡内の排出口手前にスライドガイド（弁箱）を設置し、該スライドガイドの内側に堰板（弁体）を収容するとともに、該堰板が排水枡の蓋の一部をなす開閉蓋と永久磁石を介して連結するゲート弁型の排水遮断堰であって、
堰板が磁力で開閉蓋に連結しているときは、堰板がスライドガイドの上部に位置し、排水枡の排出口を開放しているが、開閉蓋の少なくとも一部を持ち上げて、開閉蓋と堰板間に磁力を超える大きさに相当する外力を加えると、堰板が開閉蓋から分離しスライドガイドの内側を自重によって垂直に降下し、排出口を塞ぐように構成されていることを特徴とする排水遮断堰。
【請求項２】
開閉蓋は、金属製であり、その裏面に永久磁石が固定されていることを特徴とする請求項１に記載の排水遮断堰。
【請求項３】
開閉蓋は、その横幅が堰板の横幅よりも２０ｍｍ以上短いことを特徴とする請求項１に記載の排水遮断堰。
【請求項４】
堰板は、耐食性のプラスチック製材料で形成され、その上部に強磁性の金属部材が取り付けられていることを特徴とする請求項１に記載の排水遮断堰。
【請求項５】
スライドガイドは、排水枡の側壁と充填材で接着されていることを特徴とする請求項１に記載の排水遮断堰。
【請求項６】
スライドガイドは、高さが排水枡の排出口直径の２倍以上であることを特徴とする請求項１に記載の排水遮断堰。
【請求項７】
さらに、堰板を引き上げて開閉蓋と連結するための非磁性の紐を具備していることを特徴とする請求項１に記載の排水遮断堰。
【発明の詳細な説明】
【技術分野】
【０００１】
本発明は、排水遮断堰に関し、より詳しくは、道路や屋外作業場での荷扱い作業の際に、簡単に操作できて、有害物の漏洩拡散を迅速かつ確実に遮断し汚染の拡大を防ぐことができるだけでなく、場所を占有しない低コストな排水の遮断堰に関する。
【背景技術】
【０００２】
工場から河川や海域に放流する排水は、工程排水と雨水排水に大別される。工程排水は、製造工程で発生した有害物を含んだ残液や洗浄液などであり、例えば排水処理工程でｐＨ調整や沈降分離等の処理を行って無害化し放流される。一方、雨水排水は、工場内に降った雨水等であり、有害物が含まれないので、雨樋や道路の側溝から排水枡に集め、排水管を経て集合配管から放流する。
【０００３】
排水枡は、コンクリート製の一辺が３０ｃｍから１ｍ程度の上面が開口した箱であり、上面が路面と同一レベルになるよう埋設される。上面には格子蓋（グレーチング）を載せ、上部の側面は側溝に接続し、下部の側面は排出口を通じて排水管に接続する。排水枡は、建物の敷地や道路あるいは作業場などに一定間隔で設置され、路面は、水捌けが良くなるように排水枡や側溝に向かって緩やかな傾斜をもつことが多い。
工場では製品や廃液などの液体は、配管を通じて次工程に送られ、あるいはタンクローリーに積載されて運ばれる。また、ドラム缶やコンテナ等の容器に入れた状態でも取り扱われる。これらの容器は、そのまま倉庫に保管されるか、フォークリフトで運び出しトラックに移し替えて輸送する。この移し替え作業は、工場内の道路上や屋外作業場などで行うことが多い。
これらの場所にも前述の側溝や排水枡が設置されている。作業の不手際などで液が漏れると、側溝に流れ、排水枡から雨水排水に混じり、そのまま放流される恐れがあるので、流出を防ぐための緊急対策が講じられている。例えば、集合配管からの放流口やその手前の排水経路の途中には検出センサや複数の遮断堰を設け、万一汚染されても汚染物が外部にそのまま放流されることがないようにしている（例えば、特許文献１参照）。
【０００４】
ところが、万一排水が汚染されると、汚染された排水を回収して処理しなければならない。特に、漏洩の発見や緊急対策の実施が遅れて放流口の手前まで汚染が広がると、工場全体を停止して排水の発生を止め回収しなければならず、大きな手間と費用を要することになる。したがって、出来るだけ漏洩源に近い場所の排水枡などで汚染排水を遮断し、汚染の拡大を抑えなければならない。
【０００５】
一方、多数の排水枡全てに、自動遮断装置付きの堰を取り付けることもあるが、費用と維持の手間から容易ではないため、作業が煩雑にはなるものの、漏れてから堰を遮断するのでなく、漏れる前から予め遮断することも行われる。つまり作業開始前に周辺の排水枡に栓をし、作業終了後に汚染の発生がないことを確認して栓を取り外せば、作業中に容器から漏洩しても狭い範囲の汚染に収めることができ、被害を最小に抑えられるからである。
この施栓を行うには、排水枡上面の重い蓋を開けてから、屈み込んで底部に近い排出口に手を伸ばさなければならない。比較的簡単に扱えることからゴム栓が多く用いられているが、施栓ないし解栓する作業は、時間と手間、労力がかかる。特に排出口の径が１００〜２００ｍｍ、あるいはそれよりも大きくなるとゴム栓のサイズと重量も増加し、手作業では取り扱い難くなる。そのため、積み込み作業前後のあわただしい時間に施栓（遮断）と開放を行う必要があるので、操作が簡単で迅速に遮断できることが望ましい。
【０００６】
排水枡の周辺に十分なスペースがあれば、遮断弁をハンドル操作で降下して排水を遮る構造の遮断堰を設置することも可能である。しかし、ハンドル操作に時間を要するし、道路や屋外作業場では、車両が排水枡の上も通行するので、ハンドルや遮蔽弁の軸などの架構が地上のスペースを専有するタイプの堰を設置することは出来ない。
そこで、これらに代わりうる遮断装置として特許文献２に例示されるものを適用することも考えられる。この装置は、貯水槽の緊急遮断装置であり、センサが地震を検出すると貯水槽内の堰板に接続されたレバーを固定していた電磁石が解除され、堰板が自重や流出する水流に引かれて配管に被さり、水圧で排出口を押さえつけて貯液槽からの水の流出を遮断するものである。
【０００７】
しかしながら、特許文献２に示される装置は、構造が複雑で、設置スペースも必要であり、１辺が３０ｃｍから１ｍ程度の排水枡に収めるには大掛かりとなる。また、排水枡は直上を車両が通行し、漏洩や降雨時には水没することもあるので、電磁石や制御機器は耐水構造とし、振動や衝撃に耐える強度も必要となる。これに加えて、作業を行わない通常時にも電力が必要で、数が増えると消費電力も無視できない。
さらに、排水経路の排水枡には、常に水があるとは限らないので、特許文献２に示される装置のように、水圧を利用した堰板を降下させ押さえ付けができるとは限らない。また、排水経路では、経路毎の水量の差などによって、遮断した堰の下流側の水位が上流側よりも高くなったり、下流の流れが速い場合もあるので、排出口の上に蓋を載せて遮断する構造では、排水枡から汚染排水を回収する際に、下流側からの水圧で蓋が浮き上がって下流から排水が逆流して排水枡内に流入し回収液量が増加してしまうから、特許文献２に示す装置の適用は難しい。
前記した排水の逆流を防ぐために、例えば蓋を重くすると、それに応じた部材強度や電磁石の保持力を持たせなければならず、吊り下げ機構が大型化して設置スペースに収まらなかったり、操作性が低下する。さらに、堰板がレバーに繋がれたままでは、電磁石の誤作動により堰板が開放して汚染排水が流出する恐れもある。
【０００８】
このように、排水枡の遮断堰に必要な操作性、迅速性、確実性、設置場所、コストなどの多くの課題を同時に全て満足できる構造の装置は提案されておらず、このような機能を有する排水遮断装置が切望されていた。
【特許文献１】特開平７−１８５５１８号公報（段落０００３）
【特許文献２】特許２９８４５８７号公報（第２図、第６図、第７図）
【発明の開示】
【発明が解決しようとする課題】
【０００９】
本発明の目的は、道路や屋外作業場での荷扱い作業の際、簡単に操作できて、有害物の漏洩拡散を迅速かつ確実に遮断し汚染の拡大を防ぐことができるだけでなく、場所を占有しない低コストな排水の遮断堰を提供することにある。
【課題を解決するための手段】
【００１０】
本発明者は、上述した課題を解決するために鋭意研究を重ねた結果、弁箱（スライドガイド）の内側に弁体（堰板）を収容するとともに、開閉蓋と堰板とを永久磁石を介して連結してハンドルの機能をもたせて排水遮断堰を構成し、スライドガイドを排水枡内の排出口手前に設置し、常時は堰板をスライドガイドの上部に位置させ、排水枡の排出口を開放しておき、排出口を塞ぐ必要が生じた場合は、開閉蓋を持ち上げて、堰板との間に磁力を超える外力を加え、堰板がスライドガイドの内側を自重によって垂直に降下するように構成することにより、簡便かつ低コストで排水の汚染拡大を防止できることを見出し、本発明を完成するに至った。
【００１１】
すなわち、本発明の第１の発明によれば、排水枡内の排出口手前にスライドガイド（弁箱）を設置し、該スライドガイドの内側に堰板（弁体）を収容するとともに、該堰板が排水枡の蓋の一部をなす開閉蓋と永久磁石を介して連結するゲート弁型の排水遮断堰であって、堰板が磁力で開閉蓋に連結しているときは、堰板がスライドガイドの上部に位置し、排水枡の排出口を開放しているが、開閉蓋の少なくとも一部を持ち上げて、開閉蓋と堰板間に磁力を超える大きさに相当する外力を加えると、堰板が開閉蓋から分離しスライドガイドの内側を自重によって垂直に降下し、排出口を塞ぐように構成されていることを特徴とする排水遮断堰が提供される。
【００１２】
また、本発明の第２の発明によれば、第１の発明において、開閉蓋は、金属製であり、その裏面に永久磁石が固定されていることを特徴とする排水遮断堰が提供される。
また、本発明の第３の発明によれば、第１の発明において、開閉蓋は、その横幅が堰板の横幅よりも２０ｍｍ以上短いことを特徴とする排水遮断堰が提供される。
さらに、本発明の第４の発明によれば、第１の発明において、堰板は、耐食性のプラスチック製材料で形成され、その上部に強磁性の金属部材が取り付けられていることを特徴とする排水遮断堰が提供される。
【００１３】
また、本発明の第５の発明によれば、第１の発明において、スライドガイドは、排水枡の側壁と充填材で接着されていることを特徴とする排水遮断堰が提供される。
また、本発明の第６の発明によれば、第１の発明において、スライドガイドは、高さが排水枡の排出口直径の２倍以上であることを特徴とする排水遮断堰が提供される。
さらに、本発明の第７の発明によれば、第１の発明において、さらに、堰板を引き上げて開閉蓋と連結するための非磁性の紐を具備していることを特徴とする排水遮断堰が提供される。
【発明の効果】
【００１４】
本発明によれば、堰板をスライドガイドの上部に保持するために永久磁石を使用しているので、複雑な可動機構や動力を使用する必要がなく、メンテナンスが省力化でき、低コストで容易に排水枡に設置できる。
排水遮断堰の機構を排水枡の本体内に収められ、蓋の上にハンドルのような突出物がなくフラットなので、車両が通行する路面の排水枡にも設置できる。
排水の流れに垂直方向に堰板を入れて遮断するので、下流側から排水が排水枡内に逆流することを抑えることができ、回収液量の増加を防止できる。
【発明を実施するための最良の形態】
【００１５】
次に、本発明の排水遮断堰、その構成と使用方法について、図面を用いて詳しく説明する。
【００１６】
本発明の排水遮断堰（以下、単に遮断堰ともいう）は、排水枡内の排出口手前にスライドガイド（弁箱）を設置し、該スライドガイドの内側に堰板（弁体）を収容するとともに、該堰板が排水枡の蓋の一部をなす開閉蓋と永久磁石を介して連結するゲート弁型の排水遮断堰であって、堰板が磁力で開閉蓋に連結しているときは、堰板がスライドガイドの上部に位置し、排水枡の排出口を開放しているが、開閉蓋の少なくとも一部を持ち上げて、開閉蓋と堰板間に磁力を超える大きさに相当する外力を加えると、堰板が開閉蓋から分離しスライドガイドの内側を自重によって垂直に降下し、排出口を塞ぐように構成されていることを特徴とする。図１に示すように、開閉蓋７、堰板４、およびスライドガイド５から主として構成される。
【００１７】
１．堰板
堰板４は、本発明の排水遮断堰において、排水の流れを遮断する構成部材であり、ゲート弁の弁体に相当する。
【００１８】
本発明において、堰板４は、軽量であり、しかも十分な機械的強度を有するものでなければならない。軽量とするのは、常時は堰板が開閉蓋７と永久磁石を介して吸着しており、その吸着力が磁力であるためである。重量は４ｋｇ以下、好ましくは３ｋｇ以下である。
また、スライドガイドの上部から排水升の底部に降下したときの衝撃、横方向からの水圧に耐えなければならない。このような性能を有するものであれば、その種類によって限定されず、木製や軽金属製であってもよいが、例えば、塩ビやナイロン、ポリプロピレン、これらの混合物など耐蝕性のプラスチック製材料であることが好ましい。機械的強度を向上させるためには、カーボンファイバー、炭酸カルシウム、ワラストナイトなどの無機充填材を配合することもできる。十分な強度があれば中空のプラスチックでもよい。
【００１９】
また、形状は、均等な厚さを有する板状であることが好ましい。厚さは、材質によって異なるので一概に規定できないが、薄すぎると軽すぎて降下速度が不十分になるだけでなく機械的強度が不足するので好ましくない。ただし、厚すぎると重量が大きくなりすぎて、磁石によって保持しにくくなるために好ましくない。材質が塩ビの場合は５ｍｍ以上、好ましくは１２ｍｍ以下の厚さとすることが望ましい。大きさは、排出口１８を完全に覆って排水の流れを遮断できるように、少なくとも排出口の大きさよりも大きいものでなければならない。ただし、縦の長さは、スライドガイドの上部で保持される際に、排出口が完全に開く程度でなければならない。
【００２０】
堰板４を復帰する際に持ち上げて開閉蓋７に吸着するために、紐（チェーンもしくはワイヤーでもよい）を取り付けることができる。紐等は、堰板４の上端に取り付け、他端は開閉蓋７に設けた穴を通して持ち手となる板や棒等に接続する。紐等は非磁性で耐食性があるものが望ましく、堰板４を排水枡１の上面まで持ち上げて磁石９で吸着し保持するのに必要かつゆとりのある長さと強度を持たせる。
【００２１】
２．スライドガイド
スライドガイド５は、本発明の排水遮断堰において、上記弁体となる堰板を収納し、内部を滑らせて降下させ、排水の流れを遮断するための構成部材であり、ゲート弁の弁箱に相当する。
【００２２】
スライドガイドの形状は、特に制限されないが、例えば上面が開口したボックス状であって、下部の両正面には排出口１８と同サイズの開口部があるものが好ましい。スライドガイド５の高さは、堰板４が持ち上がった状態でスライドガイド５から脱落したり、スライドガイド５の上面開口部を通して漏水しないようにする。そのためには、高さが少なくとも排出口１８の直径の２倍以上となるようにし、上部が開閉蓋７の直下に位置することが好ましい。
【００２３】
スライドガイド５の側面は、前述の堰板４を挟んで隙間無くスムースに昇降できるサイズとし、スライドガイド５と堰板４とは水圧で密着できるように、スライドガイド５の内側は滑らかに仕上げる。スライドガイド５は、堰板４の上方の一部を覆う形状として、スライドガイド５から抜け落ちることを防ぐ構造にしても良い。スライドガイド５の横幅は、前述の堰板４の幅よりも広く、堰板をスムースに昇降できるサイズとする。
【００２４】
スライドガイドは、排水升の排出口の前に取り付けられ、排出口１８に取り付けた部分との隙間から漏水しないように充填材で接着される。スライドガイドの材質が金属製であれば排水管に直接溶接してもよい。充填材としては、シリコーン系、アクリル系など水回りの工事で汎用されている各種シーラントが使用できる。
【００２５】
３．開閉蓋
開閉蓋７は、本発明の排水遮断堰において、排水の流れを遮断する装置の構成部材であり、ゲート弁のハンドルに相当する。
【００２６】
開閉蓋７は、排水枡蓋１７の一部をなすが、機能的には独立しており、図３に示すように、取っ手が取り付けられている。取っ手の種類は様々なものがあるが、開閉蓋を操作しやすいように、１０φのステンレス棒をコの字型に曲げたものとすれば、使わないときには開閉蓋に落とし込んで収納できる。開閉蓋の上部を車両が通行するので、グレーチング蓋と同様、十分な強度を持つものでなければならない。
【００２７】
開閉蓋の大きさは、排水枡蓋１７に載るサイズとし、横幅は堰板の横幅よりも短いことが望ましい。具体的には、開閉蓋の横幅が堰板の横幅よりも２０ｍｍ以上短く、特に５０ｍｍ以上短いことが好ましい。これにより開閉蓋を持ち上げると、堰板の上部がグレーチング蓋に引っかかって、開閉蓋に磁力で吸着したまま持ち上がってくることがなくなり、振り払うなどの特別な操作なしに堰板と開閉蓋とを分離できる。開閉蓋を持ち上げる際、図４に示したように、手前側の一辺を支点として、取っ手を３０〜４５度傾斜させると堰板が外れるように、一端を蝶番で固定することができる。
【００２８】
さらに、排水遮断のために蓋を持ち上げる操作でのみ開閉蓋が動き、それ以外には車両が通行する際の僅かな振動では蓋が動きにくくするために、開閉蓋の裏面、隅部に突起を設けてグレーチング蓋の開口部に差し込めるようにする。突起の大きさは、グレーチング（格子状）によって異なり特に限定されるものではないが、例えば１０〜３０ｍｍとすることができる。
【００２９】
４．永久磁石
永久磁石９は、本発明の排水遮断堰において、開閉蓋と堰板を磁力によって連結するための構成部材であり、ゲート弁ではハンドル軸の一部に相当する。
【００３０】
永久磁石には、フェライト系、希土類サマリウム・コバルト（Ｓｍ−Ｃｏ）系、希土類ネオジム（Ｎｄ−Ｆｅ−Ｂ）系、希土類サマリウム（Ｓｍ−Ｆｅ−Ｎ）系、これらフェライト系と希土類系とを組み合わせたハイブリッド系などが挙げられ、それぞれ製造方法によって、焼結磁石とボンド磁石に分類される。堰板を吸着して保持するのに必要な磁力があれば、入手しうるどのような種類のものでも構わない。磁石の表面は、水分、塩分、熱による劣化を抑制するためにエポキシ系塗料、珪素系カップリング剤などでコーティングしたものが好ましい。
【００３１】
永久磁石９を取り付ける場所は、開閉蓋と堰板のいずれか一方、すなわち開閉蓋７の裏面もしくは堰板４の上面とし、ずれないようにネジやボルトなどによって固定する。必要があれば開閉蓋と堰板の双方に取り付けてもよい。開閉蓋に永久磁石を取り付けたときは、堰板の上部には強磁性の金属１０を置く。これに対して、堰板に永久磁石を取り付けたときは、開閉蓋が金属製なので強磁性の金属を置かなくてもよいが、金属であっても磁性がなかったり、開閉蓋の底面が粗雑であったり、磁力による吸着を阻害するような形状である場合は強磁性の金属を置くことができる。
フェライト焼結磁石は、比較的安価であるが、磁気特性は希土類系磁石と比べて小さいので、サイズが大きいものが必要となる。しかし、堰板に取り付ける場合は、十分な重量を有するので錘としても機能する。希土類ボンド磁石は、フェライト焼結磁石と比べると比較的高価であるが、加工性がよく磁気特性が良好なので、サイズが小さいものでも使用できる。
【００３２】
５．使用方法
本発明の排水遮断堰は、平常時は開閉蓋７が永久磁石９を介して堰板４を吸着しているので、図１のように、堰板がスライドガイドの上部に引き上げられ、排水升の排出口が開放されている。
【００３３】
そして、有害物の積み込み作業を行うために排水を遮断すべき時には、図４のように開閉蓋７を持ち上げる。開閉蓋７全体をグレーチング蓋の上方に持ち上げても良いが、手前側の一辺を支点として、取っ手を１０〜４５度傾斜させてもよい。これにより堰板４も引かれて浮き上がるが、スライドガイド５や排水枡蓋１７に妨げられて開閉蓋７との吸着が外れ、堰板４は、スライドガイド５に沿って垂直に下降し、排出口（開口部）が塞がれる。これにより、有害物の積み込み作業中に排水が流出しても排水升内で遮断でき、下流に有害物を流出させる恐れがない。なお、開閉蓋７の上に車両や積み下ろし器具などが置かれ、蓋を持ち上げられない状態であれば、排水枡蓋１７のグレーチングの隙間を通して、棒状の治具を用いて堰板を突いて押し下げればよい。
【００３４】
堰板で排出口が塞がれた状態から元の開放状態に復帰させるには、まず、水中ポンプを用いて排水枡に溜まった水を回収する。排水枡はグレーチング蓋なので、砂や埃、木の葉、ゴミなどが溜まりやすい。これらが、スライドガイドの溝に入り込むと堰板が降下しにくくなる。したがって、排水枡に溜まった水を回収する際には、同時にスライドガイドの溝を清掃することが望ましい。
その後、図５のようにして、堰板上の鉄板１０の中央に取り付けられた非磁性の紐（ステンレス製のチェーンなど）を手繰り寄せて堰板を持ち上げる。そして、最後に開閉蓋７と堰板４を磁石で吸着させる。
【実施例】
【００３５】
次に、実施例によって、本発明をより具体的に説明するが、本発明は、この実施例によって何ら限定されるものではない。
【００３６】
図１に示した構造をもつ本発明の排水遮断堰を作製し、開口部が７００×７００ｍｍ、深さが９２０ｍｍのサイズである排水枡１の底の位置にある１９０φの排出口１８の前にスライドガイド５を取り付けた。スライドガイド５は、高さが排出口１８の直径の２倍以上（６８０ｍｍ）、幅が内寸２２３ｍｍで、内部に堰板が収納できる空間を有し、かつ堰板が上下に移動自在となるように内側を滑らかに仕上げた。また、スライドガイド５と排水枡１の間は、漏水しないように、充填材（信越シリコーン社製  商品名「オキシム系シーラント４５」）を用いて接着した。
【００３７】
排水枡のグレーチング形状の蓋１７において、堰板４の直上に位置する１８０×１８０ｍｍの部分を切り取って開口部とし、そこに２２０×２２０ｍｍのサイズで板厚５ｍｍのステンレス材で作った開閉蓋７を載せた。グレーチング蓋に切り欠いた開口部の幅は、堰板の横幅より小さくした。開閉蓋の裏面には、直径２５φの工業用フェライト系永久磁石２個をボルトで取り付け、磁石が錆びないようにエポキシ系塗料（日本ペイント社製  商品名「水溶性エポキシさび止め」）を用いて塗装した。また、開閉蓋を操作しやすいように、図３に示す取っ手（１０φのステンレス棒をコの字型に曲げて、使わないときには開閉蓋に落とし込んで収納できる構造のもの）２０を設けた。さらに開閉蓋の裏面の四隅には２０ｍｍの高さの突起を設けてグレーチング蓋の開口部に差し込めるようにし、操作以外の振動などで開閉蓋が動かないようにした。
一方、堰板４は幅２２０ｍｍ、厚さ８ｍｍの塩ビ製とし、開閉蓋の裏面に取り付けた永久磁石９と対面する位置に強磁性の金属（３ｍｍ厚の鉄板）１０をボルトで取り付けた。堰板４をスライドガイド５から引き上げて開閉蓋７とを磁石９で吸着し、平常時は排出口１８を塞がない状態を維持した。
【００３８】
そして、排水遮断が必要になったとき、図４のように開閉蓋７の一端が路面と３０度位をなすように持ち上げた。すると、開閉蓋と堰板との磁力による吸着が外れ、堰板は自重でスライドガイドに沿って瞬時に落下し、図２のように排出口の前面を覆った。試しにこの状態で排水枡内に水を満たすと、最初は堰を通して排出口へ水が滲み出てきたが、排水枡内の水量が増えて水圧が増加するに伴って、次第に流出は止まった。完全な遮断を確認した後、開閉蓋をグレーチング蓋の開口部に差し込んだが、堰板が持ち上がって開閉蓋と吸着することはなく、水が排水枡から流出することもなかった。
【００３９】
次に、水中ポンプを用いて排水枡からの水を回収した後に、図５のようにして堰板上の鉄板１０の中央に取り付けた非磁性の紐（ステンレス製のチェーン）２２を手繰り寄せて堰板を持ち上げた。開閉蓋７と堰板４は磁力によって吸着し、排水の遮断状態から開放状態に復帰した。
なお、グレーチング蓋に切り欠いた開口部の幅は、上記のとおり堰板の横幅より小さいので、開閉蓋を持ち上げても、堰板はグレーチング蓋に引っかかって、開閉蓋に吸着したまま持ち上がってくることはなく、振り払うなどの特別な操作なしに堰板と開閉蓋とを分離できた。
また、開閉蓋７の上に駐車するなど、蓋を持ち上げられない状態であっても、排水枡蓋１７のグレーチングの隙間を通して、棒状の治具で押し下げると、開閉蓋から堰板を分離し遮断できた。
【図面の簡単な説明】
【００４０】
【図１】本発明の排水遮断堰を排水枡の内部に設置した状態を示す断面図である。
【図２】本発明の排水遮断堰を用い、開閉蓋を持ち上げ排水枡の排出口を遮断した状態を示す断面図である。
【図３】本発明の排水遮断堰を排水枡内部に設置し上部からみたときの平面図である。
【図４】本発明の排水遮断堰の開閉蓋を持ち上げ、堰板を降下させる状態を示す説明図である。
【図５】本発明の排水遮断堰の開閉蓋に、排水枡の下部に降下した堰板を吸着させる状態を示す説明図である。
【符号の説明】
【００４１】
１…排水枡
４…堰板
５…スライドガイド
６…充填材
７…開閉蓋
９…永久磁石
１０…強磁性の金属（鉄板）
１７…排水枡蓋
１８…排出口
２０…取っ手
２１…紐の端部
２２…紐（チェーン）
【図１】
2009179941.tif 000003
【図２】
2009179941.tif 000004
【図３】
2009179941.tif 000005
【図４】
2009179941.tif 000006
【図５】
2009179941.tif 000007